(57)【特許請求の範囲】
【請求項１】
正面板１、背面板２、左右側面板３、４及び下蓋板５を設け、正面板１の上縁には上蓋板１１及び上部差込片１２を順次延設し、左右側面板３、４の上縁には、上部サイドフラップ３１、４１を延設し、両方の上部サイドフラップ３１、４１を内側に直角に折り曲げ、次いで上蓋板１１を内側に直角に折り曲げ、更に上部差込片１２を内側に直角に折り曲げて、背面板２と左右の上部サイドフラップ３１、４１の端部との間に差し込むことにより封止する包装箱において、左右の上部サイドフラップ３１、４１を背面板２と平行な方向に半裁して背面側半裁上部サイドフラップ３１１、４１１と正面側半裁上部サイドフラップ３１２、４１２とを形成し、左右の正面側半裁上部サイドフラップ３１２、４１２の先端近傍に互いに嵌合し得るフック部３Ｈ、４Ｈを設けると共に、左右の正面側半裁上部サイドフラップ３１２、４１２の折り曲げ部からの長さをフック部３Ｈ、４Ｈが互いに嵌合し更に遊びを持たせて得る長さとして、フック部３Ｈ、４Ｈを互いに嵌合させることにより持ち手を形成することを可能とし、背面側半裁上部サイドフラップ３１１、４１１の正面側半裁上部サイドフラップ３１２、４１２との境の基部３１１Ｂ、４１１Ｂを、正面側半裁上部サイドフラップ３１２、４１２の側に円弧状に湾曲させてなる、持ち手付き包装箱。
【請求項２】
左右の正面側半裁上部サイドフラップ３１２、４１２に設けたフック部３Ｈ、４Ｈの一方がスリットであり、他方が係止片であって、スリットに係止片を挿入することにより嵌合させる、請求項１に記載の持ち手付き包装箱。
【請求項３】
スリットの両端が、当該スリットを設けた正面側半裁上部サイドフラップの基部方向に斜めに屈曲させた形状である、請求項２に記載の持ち手付き包装箱。
【請求項４】
上蓋板１１の中央の正面板１寄りの、左右の正面側半裁上部サイドフラップ３１２、４１２で形成した持ち手の下方の位置に、指を差し入れるための凹部１１Ｃを形成してなる、請求項１〜３のいずれか１項に記載の持ち手付き包装箱。
【発明の詳細な説明】
【技術分野】
【０００１】
本発明は、持ち手付き包装箱に関する。
【背景技術】
【０００２】
シャンプーボトルやガラス瓶など、サイズが大きく重い商品等を入れた箱を店頭に陳列したり持ち運んだりする際、箱が掴みにくいため扱いにくく、又、箱単体で運ぶ時には、籠や袋等に入れなければならない、等の問題があった。
このような問題を解決する手段として、箱に、持ち手用のベルトを融着、接着、嵌合等により付ける方法がある（特許文献１〜３参照）が、別部品、別工程を必要とするため、加工、作業工程が煩雑となり、しかも材料費、加工費等の費用が掛かるという欠点がある。
【０００３】
一方、箱の一部を利用することにより持ち手を形成する方法もある（特許文献４、５参照）が、看板部を形成できないため、外観が著しく損なわれ、更に、持ち手を形成したままの状態で箱を安定して積み重ねることができず、輸送用の箱に入れる際も、その箱内上部に空間が生じるため、安全、安価な輸送形態をとることができない。
【先行技術文献】
【特許文献】
【０００４】
【特許文献１】特開２００９−９６５１３号公報
【特許文献２】特許第３７８７６７７号公報
【特許文献３】実用新案登録第３０２５４１０号公報
【特許文献４】特開２００１−２０６３４９号公報
【特許文献５】特開２００９−２３６７２号公報
【発明の概要】
【発明が解決しようとする課題】
【０００５】
本発明は、サイズが大きく重い商品等を入れるのに適した、持ちやすく、安心して持てる持ち手を形成でき、持ち手を形成した後も、箱同士を積み重ねたり、輸送箱に余計な空間を空けずに収納することができる、持ち手付き包装箱を提供することを課題とする。
【課題を解決するための手段】
【０００６】
本発明者は、左右の上部サイドフラップの一部を長くし、互いに遊びを持たせて嵌合させて持ち手を形成することを可能とすることにより、前記課題を解決した。
即ち本発明は、正面板１、背面板２、左右側面板３、４及び下蓋板５を設け、正面板１の上縁には上蓋板１１及び上部差込片１２を順次延設し、左右側面板３、４の上縁には、上部サイドフラップ３１、４１を延設し、両方の上部サイドフラップ３１、４１を内側に直角に折り曲げ、次いで上蓋板１１を内側に直角に折り曲げ、更に上部差込片１２を内側に直角に折り曲げて、背面板２と左右の上部サイドフラップ３１、４１の端部との間に差し込むことにより封止する包装箱において、左右の上部サイドフラップ３１、４１を背面板２と平行な方向に半裁して背面側半裁上部サイドフラップ３１１、４１１と正面側半裁上部サイドフラップ３１２、４１２とを形成し、左右の正面側半裁上部サイドフラップ３１２、４１２の先端近傍に互いに嵌合し得るフック部３Ｈ、４Ｈを設けると共に、左右の正面側半裁上部サイドフラップ３１２、４１２の折り曲げ部からの長さをフック部３Ｈ、４Ｈが互いに嵌合し更に遊びを持たせて得る長さとして、フック部３Ｈ、４Ｈを互いに嵌合させることにより持ち手を形成することを可能とした、持ち手付き包装箱である。
【発明の効果】
【０００７】
本発明によれば、サイズが大きく重い商品等を入れるのに適した、持ちやすく、安心して持てる持ち手を、余分な材料・コストをかけずに形成でき、持ち手を形成した後も、箱同士を積み重ねたり、輸送箱に余計な空間を空けずに収納することができる、持ち手付き包装箱を提供することができる。
【図面の簡単な説明】
【０００８】
【図１】本発明の持ち手付き包装箱の１例の斜視図である。
【図２】図１の持ち手付き包装箱の１例の展開図である。
【図３】持ち手の嵌合形式の他の例を示す説明図である。
【図４】背面側半裁上部サイドフラップに設けるフック部の形状の例を示す説明図である。
【発明を実施するための形態】
【０００９】
以下、本発明の持ち手付き包装箱を、図１〜４により説明する。
図１に示す持ち手付き包装箱は、図２の展開図の状態から組み立てたものである。なお、本発明の持ち手付き包装箱は、比較的重量のある商品を収納することを想定しているので、図２に示すように、下蓋板は複雑な形状を組合せて形成する形になっているが、下蓋板は本発明の特徴部分ではないので、第１図では詳細な描画は省略している。
【００１０】
包装箱Ａは、正面板１、背面板２、左右側面板３、４及び下蓋板５を設け、正面板１の上縁には、上蓋板１１及び上部差込片１２を順次延設し、背面板２の上縁には、看板部２１を延設し、左右側面板３、４の上縁には上部サイドフラップ３１、３２を延設してなる。
而して、両方の上部サイドフラップ３１、４１を内側に直角に折り曲げ、次いで上蓋板１１を内側に直角に折り曲げ、更に上部差込片１２を内側に直角に折り曲げて、背面板２と左右の上部サイドフラップ３１、４１の端部との間に差し込むことにより上蓋板１１をロックして、包装箱を形成する。
看板部２１は、必ずしも設けなくともよいが、設けた方が全体のバランス及び外観が良くなるので好ましく、設ける場合には、適宜、釣下穴２１Ｈを設ける。
【００１１】
但し、本発明の包装箱においては、左右の上部サイドフラップ３１、４１を背面板２と平行な方向に半裁して背面側半裁上部サイドフラップ３１１、４１１と正面側半裁上部サイドフラップ３１２、４１２とを形成している。
そして、左右の背面側半裁上部サイドフラップ３１１、４１１を内側に直角に折り曲げて、上蓋板１１をロックする本来の役割を果させている。
一方、左右の正面側半裁上部サイドフラップ３１２、４１２の先端近傍には、互いに嵌合し得るフック部３Ｈ、４Ｈを設けると共に、左右の正面側半裁上部サイドフラップ３１２、４１２の折り曲げ部からの長さを、フック部３Ｈ、４Ｈが互いに嵌合し更に遊びを持たせ得る長さとして、フック部３Ｈ、４Ｈを互いに嵌合させることにより持ち手を形成することを可能としている。
【００１２】
フック部３Ｈ、４Ｈとしては、一方がスリットであり、他方が係止片であって、スリットに係止片を挿入することにより嵌合させる形式が好ましい。なお、図１〜３では、便宜的に、スリットを３Ｈと表示し、係止片を４Ｈと表示している。
スリット３Ｈの形状は、図１〜３に示すように、両端が正面側半裁上部サイドフラップ３１２の基部方向に斜めに屈曲させた形状が、係止片４Ｈを差し込み易く、且つ、外れ難いので好ましい。
係止片４Ｈの形状は、図１及び２に描いたような、先端が正面側半裁上部サイドフラップ４１２の基部方向に向いた舌状形状が、スリット３Ｈに差し込み易く、また、収納された商品を取り出す際に、外すのも比較的容易であり好ましい。
しかし、逆に、収納された商品が不用意に取り出されるのを防ぐ、つまり不正開封防止のためには、更に外れ難くすることが好ましく、そのための形状としては、図３に示すような、種々の形状、方向を採ることができる。
【００１３】
即ち、図３の（Ａ）に示した係止片４Ｈは、先端が正面側半裁上部サイドフラップ４１２の先端方向に向いた矢印形状であるが、矢幅をスリット３Ｈの屈曲部を含めた幅と略同一としているため、スリット３Ｈから外すことは極めて困難である。
図３の（Ｂ）に示した係止片４Ｈは、先端が正面側半裁上部サイドフラップ４１２の基部方向に向いた矢印形状であるが、持ち手で下げた場合には、内容物の重量を矢印形状の根本で受ける形になるため十分な強度が得られると共に、矢幅をスリット３Ｈの屈曲部を含めた幅と略同一としているため、スリット３Ｈから外すことは極めて困難である。
【００１４】
図３の（Ｃ）に示した係止片４Ｈは、（Ａ）、（Ｂ）と同様の矢印形状であるが、矢印形状の先端に切り割り４ＨＣを設け、該先端を左右から挟持することにより、矢印形状の矢幅を狭めて、スリット３Ｈへの挿入を容易にしたものである。
図３の（Ｃ）の態様の場合には、矢幅をスリット３Ｈの屈曲部を含めた幅よりも大きくしており、左右から挟持して矢幅を狭めて、スリット３Ｈへ挿入した後に、元の矢幅に戻ってしまうと、スリット３Ｈから外すことは殆ど不可能である。
但し、矢印形状の先端に切り割りを設けることは、（Ａ）、（Ｂ）の形状においても同様に適用できる。
【００１５】
なお、上記のように、図３の（Ａ）〜（Ｃ）に示した態様の場合は、係止片４Ｈをスリット３Ｈから外すことは、極めて困難であるか、又は、殆ど不可能である。従って、左右の正面側半裁上部サイドフラップ３１２、４１２のいずれか一方又は両方にミシン目などの易切断線３Ｐ、４Ｐを設け、そこから切断して持ち手を解消し商品を取り出す形とするのが好ましく、このような構成とすることにより持ち手は不正開封防止機能も果たすことができる。
【００１６】
本発明の包装箱においては、左右の上部サイドフラップ３１、４１を背面板２と平行な方向に半裁して背面側半裁上部サイドフラップ３１１、４１１と正面側半裁上部サイドフラップ３１２、４１２とを形成しているが、背面側半裁上部サイドフラップ３１１、４１１の幅Ｗ１に対する正面側半裁上部サイドフラップ３１２、４１２の幅Ｗ２の比率は、背面側半裁上部サイドフラップ３１１、４１１に上蓋板１１をロックする役割を果させると共に、正面側半裁上部サイドフラップ３１２、４１２で必要な強度の持ち手を形成させるには、Ｗ１：Ｗ２＝１：４〜３：２であるのが適当である。
【００１７】
左右の上部サイドフラップ３１、４１を背面板２と平行な方向に半裁すること及びそれにより形成された左右の背面側半裁上部サイドフラップ３１１、４１１の幅（奥行き）が小さいことにより、背面側半裁上部サイドフラップ３１１、４１１の基部と持ち手の基部との境目から箱が横に膨らんで崩れたり、奥行き方向への動きが大きくなり易くなり、更にはその基部の境目から裂けたりし易くなるが、図１、２に示すように、背面側半裁上部サイドフラップ３１１、４１１の正面側半裁上部サイドフラップ３１２、４１２との境の基部３１１Ｂ、４１１Ｂを、正面側半裁上部サイドフラップ３１２、４１２の側に円弧状に湾曲させることにより、そのような不都合を防ぐことができる。
【００１８】
サイドフラップと左右の背面側半裁上部サイドフラップ３１１、４１１の折り曲げ部（基部）からの長さは、背面板２の横幅の半分以下として、先端同士が重ならないようにすれば良いが、上蓋板１１をロックする役割を果させるのであれば、図１及び２に示したように、背面板２の横幅の２０〜５０％の範囲内であれば良い。
但し、背面側半裁上部サイドフラップ３１１、４１１を正面側半裁上部サイドフラップ３１２、４１２と同じようにフック部によって固定し、かつ固定されたときの長さが上蓋板１１の横幅と等しく、或いは若干短くなるように構成することにより、背面側半裁上部サイドフラップ３１１、４１１の基部と持ち手の基部との境目から箱が崩れたり、奥行き方向への動きが大きくなることを防ぎ、かつ上蓋板１１をロックする役割を果させることができるので、好ましい。
【００１９】
この場合のフック部は、図４の（Ａ）及び（Ｂ）に示すようなスリット３Ｉと係止片４Ｉとの組合わせや、図４の（Ｃ）に示すように切り込み３Ｊ、４Ｊであってもよい。
更に、図４の（Ｂ）に示すように、スリット３Ｉを背面板２の方向（図４における上方、即ち図４における反時計回り）に５°〜１５°程度回転させる形で設けることにより、嵌合した状態で背面側半裁上部サイドフラップ３１１、４１１同士を引き合うと、背面側半裁上部サイドフラップ３１１、４１１の先端が、嵌合部位で若干交差する形で背面板２に近づく形となり、背面側半裁上部サイドフラップ３１１、４１１の基部によるロック機能をより確実に果たすことができ、しかも、上記した基部３１１Ｂ、４１１Ｂを、正面側半裁上部サイドフラップ３１２、４１２の側に円弧状に湾曲させたことによる効果も、確実に得ることができる。
【００２０】
なお、背面側半裁上部サイドフラップ３１１、４１１の基部はロック機構を果たすために、箱を組み立てた際に背面板２に接するような形で幅が広くなっているが、基部のロック機構に寄与する部分を越えると先端方向に幅が絞られているので、上記のように背面側半裁上部サイドフラップ３１１、４１１の先端が、嵌合部位で若干交差する形で背面板２に近づく形となっても、背面側半裁上部サイドフラップ３１１、４１１の先端が背面板２にぶつかったり上部差込片１２の差し込みに支障が出ることはない。
【００２１】
左右の正面側半裁上部サイドフラップ３１２、４１２の折り曲げ部（基部）からの長さ及びフック部３Ｈ、４Ｈを設ける位置は、フック部３Ｈ、４Ｈを嵌合して持ち手を形成し得ると共に、持ち手を引き上げない状態では、左右の正面側半裁上部サイドフラップ３１２、４１２が平らに重なり合えるだけの遊びをもたせ得る長さ及び位置とする必要がある。
すなわち、持ち手を形成し持ち手を上に引き上げた状態で隙間を形成できるだけの正面側半裁上部サイドフラップ３１２、４１２の長さ及びフック部３Ｈ、４Ｈの位置とし、かつその状態から左右の正面側半裁上部サイドフラップ３１２、４１２が平らに重なり合う状態になった場合へ移行しても、フック部が外れることのない程度のフック部４Ｈの長さである事が好ましい。
【００２２】
但し、あまり持ち手を上に引き上げた場合の隙間を大きくすると、持ち手に不正開封を防ぐ機能を持たせている場合にその役割を果せなくなるので、持ち手を上に引き上げた場合に、持ち手と上蓋板１１との間に、１０ｍｍ以上であり上蓋板１１の縦幅（奥行き）を越えない範囲内の空隙ができる程度であることが好ましい。
また、正面側半裁上部サイドフラップ３１２、４１２が持ち手として機能し、且つ平らに重なり合えるためには、各々の長さは、背面板２の横幅の半分より長く、横幅全体より短いことが好ましい。
【００２３】
また、図１及び２に示したように、上蓋板１１の中央の正面板１寄りの、形成した持ち手の下方を含む位置に、真空成形等により、凹部１１Ｃを形成して、指を差し入れて持ち手を持ち易くすることができる。
凹部１１Ｃの横幅は箱の横幅の５０％〜８０％（持ち手の中心から両側へ２５％ずつ〜４０％ずつ）が、縦幅（奥行き）は持ち手と同じ幅〜箱の縦幅（奥行き）の８０％が、深さは５〜２０ｍｍが、各々好ましい。また、収納商品の形状に一致するような形状にする事により、上部から商品を押さえ付けたり固定する効果を有することもできる。
【００２４】
包装箱の材質は特に限定されず、合成樹脂シート、板紙、合成紙、合成樹脂シートと板紙、合成紙等からなる積層材等を用いることができ、これらの板材を打ち抜き、賦形する。
これらの板材の中でも、透明な合成樹脂シートを用いれば、その商品の優れた外観、模様、色彩等が陳列時に視認できるため、化粧品、各種ケア用品やトラベル用品などのトイレタリー用品、歯ブラシ等のオーラルケア用品、コンタクトレンズの洗浄剤等の衛生用品等の日用品の収納には特に好適である。
なお、商品を収納した後、上蓋板１１をロックし、更に持ち手を形成した状態で、本発明の包装箱Ａを陳列する際には、通常は、背面板２が正面になるように陳列する。
【００２５】
合成樹脂シートの素材は特に限定されないが、熱可塑性樹脂、例えば、ポリエチレンテレフタレート、ポリブチレンテレフタレート等のポリエステル、ポリスチレン、ポリプロピレン、ポリエチレン等のポリオレフィン、ポリカーボネート、塩化ビニル、ポリビニルアルコール、ポリ乳酸等の生分解性プラスチック等が好ましい。
【００２６】
板材の厚さはその材質等により異なるが、取り扱い易さと強度を考慮して適宜決定することができる。例えば、合成樹脂シートの場合は、好ましくは０．１〜０．５ｍｍ、より好ましくは０．２〜０．４ｍｍであり、板紙の場合は、好ましくは０．３〜１ｍｍである。
熱可塑性樹脂のシートを賦形して凹部１１Ｃを形成する場合は、熱可塑性樹脂のシートを加熱軟化させて、真空成形、圧空成形、プレス成形等の方法で熱成形するのが適当である。
【産業上の利用可能性】
【００２７】
本発明の持ち手付き包装箱は、持ちやすく、安心して持てる持ち手を形成でき、持ち手を形成した後も、箱同士を積み重ねたり、輸送箱に余計な空間を空けずに収納することができるので、特に、サイズが大きく重い商品を入れるのに好適に使用することができる。
【符号の説明】
【００２８】
Ａ：包装箱
１：正面板
１１：上蓋板
１１Ｃ：凹部
１２：上部差込片
２：背面板
２１：看板部
２１Ｈ：釣下穴
３、４：側面板
３１、４１：上部サイドフラップ
３１１、４１１：背面側半裁上部サイドフラップ
３１１Ｂ、４１１Ｂ：背面側半裁上部サイドフラップの基部
３１２、４１２：正面側半裁上部サイドフラップ
３Ｈ、３Ｉ：フック部（スリット）
４Ｈ、４Ｉ：フック部（係止片）
３Ｊ、４Ｊ：フック部（切り込み）
４ＨＣ：切り割り
３Ｐ、４Ｐ：易切断線
５：下蓋板
【図１】
0005728286.tif 000002
【図２】
0005728286.tif 000003
【図３】
0005728286.tif 000004
【図４】
0005728286.tif 000005